(57)【要約】【課題】カメラの小型化を図る。【解決手段】光軸方向への繰り出し繰り込み動作により撮影光学系の焦点距離を変更可能なレンズ鏡筒６と、レンズ鏡筒６に対してカメラ本体横方向に配置され、レンズ鏡筒６を駆動するための鏡筒駆動機構と、レンズ鏡筒６に対してカメラ本体上方に配置されたファインダユニットと、レンズ鏡筒６の繰り出し繰り込み動作に応じてレンズ鏡筒の周方向に沿って移動し、ファインダユニットをカム駆動するファインダ駆動部材１７とを有し、ファインダ駆動部材の一端に切り欠き部１７ｃが形成されており、鏡筒駆動機構の一部が、ファインダ駆動部材が所定の位置にあるときに、切り欠き部内に位置するように配置されている。【選択図】  図２
2004258121.tif 000002
【特許請求の範囲】
【請求項１】
光軸方向への繰り出し繰り込み動作により撮影光学系の焦点距離を変更可能なレンズ鏡筒と、
このレンズ鏡筒に対してカメラ本体横方向に配置され、前記レンズ鏡筒を駆動するための鏡筒駆動機構と、
前記レンズ鏡筒に対してカメラ本体上方に配置されたファインダユニットと、
前記レンズ鏡筒の繰り出し繰り込み動作に応じて前記レンズ鏡筒の周方向に沿って移動し、前記ファインダユニットをカム駆動するファインダ駆動部材とを有し、
前記ファインダ駆動部材の一端に切り欠き部が形成されており、
前記鏡筒駆動機構の一部が、前記ファインダ駆動部材が所定の位置にあるときに、前記切り欠き部内に位置するように配置されていることを特徴とするカメラ。
【発明の詳細な説明】
【０００１】
【発明の属する技術分野】
本発明は、カメラに関するものであり、より詳しくはレンズ鏡筒及び光学ファインダを有するカメラの構造に関するものである。
【０００２】
【従来の技術】
従来、銀塩フィルムを用いるフィルムカメラや撮像素子によって撮影することのできるデジタルカメラがあり、これらのカメラには撮影レンズの焦点距離が変更可能なズームタイプや一定の焦点距離に固定されている単焦点タイプがある。ズームタイプのカメラでは、カメラの非撮影時の小型化や所望の焦点距離に撮影レンズを移動させるために、撮影レンズを繰り出し及び繰り込みすることが可能なレンズ鏡筒を備えている。
【０００３】
近年、カメラの携帯性の向上等を目的にカメラの小型化が図られており、これにともないカメラ内部機構が小型化されている。
【０００４】
カメラを小型化するために効果的な技術の一つとして、レンズ鏡筒の小型化が上げられる。これは一般的にカメラのレンズ鏡筒は断面が略円形状となっており、レンズ鏡筒の径を小さくすることでカメラの縦横方向の小型化、つまりカメラ全体の小型化を図るのに有効なためである。
【０００５】
レンズ鏡筒の小型化のためには、レンズ鏡筒内に備えられる撮影レンズの小型化だけでなく、撮影レンズ等を駆動するための鏡筒駆動モータを含む鏡筒駆動機構の小型化が必要となる。
【０００６】
一方、カメラは、撮影時の被写体を確認（構図の確認）するためのファインダ装置を備えている。一般的に、フィルムカメラではファインダ光学系を有する光学ファインダ装置を備え、デジタルカメラでは光学ファインダ装置と撮像素子からの信号（撮影画像）を液晶表示する外部液晶装置とを備えている。光学ファインダ装置を備えたズームカメラでは、撮影レンズの焦点距離の変化（ズーミング動作）に応じてファインダ光学系も作動し、撮影画面と光学ファインダ装置の視野が一致するように構成されている。
【０００７】
光学ファインダ装置を備えたカメラを小型化する場合には、レンズ鏡筒の小型化だけでなく、レンズ鏡筒と光学ファインダ装置の連動を簡単な構成で小型化することが重要になる。これは連動機構が大きくなるとレンズ鏡筒と光学ファインダ装置との距離が連動機構の配置スペースの分だけ大きくなり、カメラが大型化するからである。
【０００８】
そこで、レンズ鏡筒と光学ファインダ装置とを簡単な構成で連動させるカメラが提案されている（例えば、特許文献１、２参照）。
【０００９】
ズームタイプのカメラでは、レンズ鏡筒および鏡筒駆動モータを連結する複数の鏡筒駆動ギア（減速ギア列）を備えており、一般的にフィルムカメラでは、フィルムを巻き取るスプール室及びフィルム装填室との関係で、鏡筒駆動モータ及び鏡筒駆動ギアはレンズ鏡筒の下部に配置されている。
【００１０】
また、デジタルカメラでは、フィルムカメラに比べてスプール室及びフィルム装填室等による配置の制約を受けないため、鏡筒駆動モータや鏡筒駆動ギアのレイアウトの自由度が高い。一般的に、鏡筒駆動モータや鏡筒駆動ギアは、電池や記憶媒体の収納スペースとの関係上、カメラの下側に配置されることが多い。
【００１１】
【特許文献１】
特開平９−２１１３００号公報
【特許文献２】
特開２００１−３２４７４９号公報
【００１２】
【発明が解決しようとする課題】
しかしながら、鏡筒駆動モータ及び鏡筒駆動ギアをカメラの下側に配置する場合、カメラを左右方向（横方向）で小型化するのに有効であるが、カメラを上下方向（縦方向）で小型化するのには有効でない。
【００１３】
また、カメラを上下方向で小型化するためには、鏡筒駆動モータ及び鏡筒駆動ギアの配置スペースだけでなく、レンズ鏡筒の上部に配置される光学ファインダ装置の連動機構の配置スペースを考慮する必要がある。
【００１４】
特許文献１や特許文献２では、レンズ鏡筒および光学ファインダ装置を連動させる連動機構を簡単な構成とすることでカメラの小型化を図っているが、上記連動機構と鏡筒駆動モータおよび鏡筒駆動ギアとの配置関係については提案されていない。
【００１５】
すなわち、鏡筒駆動モータおよび鏡筒駆動ギアをカメラの小型化に最適な位置に配置したり、連動機構を簡単な構成としたりするだけでは、カメラの更なる小型化を図ることができない。
【００１６】
そこで、本発明は、鏡筒駆動モータおよび鏡筒駆動ギアをカメラの小型化に最適な位置に配置するとともに連動機構を簡単な構成としつつ、カメラの更なる小型化を図ることを目的とする。
【００１７】
【課題を解決するための手段】
本発明のカメラは、光軸方向への繰り出し繰り込み動作により撮影光学系の焦点距離を変更可能なレンズ鏡筒と、このレンズ鏡筒に対してカメラ本体横方向に配置され、レンズ鏡筒を駆動するための鏡筒駆動機構と、レンズ鏡筒に対してカメラ本体上方に配置されたファインダユニットと、レンズ鏡筒の繰り出し繰り込み動作に応じてレンズ鏡筒の周方向に沿って移動し、ファインダユニットをカム駆動するファインダ駆動部材とを有し、ファインダ駆動部材の一端に切り欠き部が形成されており、鏡筒駆動機構の一部が、ファインダ駆動部材が所定の位置にあるときに、切り欠き部内に位置するように配置されていることを特徴とする。
【００１８】
【発明の実施の形態】
本発明の１実施形態であるカメラについて図面を用いて説明する。
【００１９】
図１は本実施形態であるカメラの外観斜視図である。同図において、３１はカメラ本体であり、この内部には撮影に必要な各種の部材が配置されている。３２は２段階で押圧操作されるレリーズボタンであり、半押し操作により撮影準備動作（測光動作や焦点調節動作等）が開始され、全押し操作により撮影動作（フィルムへの露光やＣＣＤ等の撮像媒体による撮像）が開始される。
【００２０】
３３は被写体に照明光を照射するストロボユニットであり、３４はＡＦ補助光等を投光する投光部であり、３５は被写体像を観察するための光学ファインダ装置である。３６はレンズ鏡筒であり、光軸方向に繰り出し繰り込み可能となっている。
【００２１】
レンズ鏡筒３６は、カメラ本体３１の電源がオフ状態のときには、カメラ本体３１内に収納された状態（沈胴状態）にあり、カメラ本体３１がオン状態となったときに、カメラ本体３１から繰り出して撮影状態（ワイド状態からテレ状態）となる。
【００２２】
図２は、レンズ鏡筒の駆動機構および光学ファインダ装置の連動機構を示す外観斜視図である。
【００２３】
１はレンズ鏡筒６（３６）を駆動する鏡筒駆動モータであり、２〜５は鏡筒駆動モータ１の回転力を減速してレンズ鏡筒６に伝達するための減速ギア列である。２は鏡筒駆動モータ１の回転軸に取り付けられたウォームギアである。３はウォームギア２と噛み合うウォームホイールであり、後述するギア４ａと噛み合うギア部を有している。
【００２４】
４ａは２段ギア構成の鏡筒駆動ギアであり、径の異なる大ギア部および小ギア部を有している。この鏡筒駆動ギア４ａの大ギア部は、ウォームホイール３のギア部と噛み合う。
【００２５】
４ｂは２段ギア構成の鏡筒駆動ギアであり、径の異なる大ギア部および小ギア部を有している。この鏡筒駆動ギア４ｂの大ギア部は鏡筒駆動ギア４ａの小ギア部と噛み合う。４ｃは鏡筒駆動ギアであり、鏡筒駆動ギア４ｂの小ギア部と、後述する鏡筒駆動ギア５に噛み合う。
【００２６】
５は鏡筒駆動ギアであり、減速ギア列の最終段に位置しており、後述するようにレンズ鏡筒６の外周に形成されたギアと噛み合う。１７は光学ファインダ装置を駆動するためのファインダ駆動部材であり、レンズ鏡筒６（回転筒８）の外周に沿った形状に形成されている。
【００２７】
本実施形態のカメラでは、図２に示すようにレンズ鏡筒６の側面（レンズ鏡筒６の正面向かって右側）に、鏡筒駆動モータ１及び減速ギア列２〜５からなる鏡筒駆動機構が配置され、レンズ鏡筒６の上面にファインダ駆動部材１７が配置されている。このように構成することによって、鏡筒駆動機構をレンズ鏡筒６の下側に配置する場合に比べて、カメラを上下方向で小型化することができる。
【００２８】
次に、レンズ鏡筒６の動作と、レンズ鏡筒６および光学ファインダ装置の連動について説明する。
【００２９】
図３はレンズ鏡筒６の光軸方向断面図である。同図において、７は第１群撮影レンズ１２を備えた第１直進筒であり、光軸方向にのみ移動可能となっている。
【００３０】
８は回転筒であり、鏡筒駆動モータ１からの駆動力を受けることにより光軸周りに回転可能となっている。この回転筒８の内周面には、第２群撮影レンズ１３およびシャッタユニット１１を保持する保持部材や第１直進筒７を駆動するための複数のカム溝部を備えている。
【００３１】
回転筒８に形成された複数のカム溝部のうちそれぞれのカム溝部には、第１直進筒７の外周に形成された凸部や、上記保持部材の外周に形成された凸部が係合する。
【００３２】
一方、回転筒８の外周面には、後述するようにファインダ駆動部材１７を駆動するためのファインダ駆動部（８ａ）を備えている。
【００３３】
９は第２直進筒であり、第１直進筒７と係合して第１直進筒７を光軸方向にガイドするガイド部を有している。また、第２直進筒９は、回転筒８に対して摺動可能に保持されており、回転筒８とともに光軸周りに回転しないようになっている。
【００３４】
１０はレンズ鏡筒６（回転筒８）を保持する固定筒であり、この内周面には回転筒８と係合して、固定筒８を光軸方向に進退させるためのカム溝部を有している。１１は複数の遮光羽根を有するシャッタユニットであり、複数の遮光羽根が撮影光路内に進退することにより露出を制御する。
【００３５】
１２は第１群撮影レンズ、１３は第２群撮影レンズ、１４は第３群撮影レンズである。
【００３６】
上述した構成のレンズ鏡筒６の動作について図２および図３を用いて説明する。
【００３７】
カメラ本体３１内に設けられた不図示の制御部からの制御信号に応じて鏡筒駆動モータ１への通電が行われる。これにより、鏡筒駆動モータ１が回転し、この回転力が減速ギア列２〜５を介してレンズ鏡筒６（回転筒８）に伝達されることで、回転筒８が光軸周りに回転する。
【００３８】
回転筒８が光軸周りに回転すると、回転筒８は、固定筒１０とのカム係合作用により光軸方向にも移動するようになる。回転筒８が光軸周りに回転すると、第１直進筒７や上記保持部材は、回転筒８のカム溝部とのカム係合作用により光軸方向に移動する。ここで、第１直進筒７や上記保持部材は、第２直進筒９との係合作用により光軸方向にのみ移動する。
【００３９】
また、回転筒８が光軸方向に移動することで、第２直進筒９も回転筒８とともに光軸方向に移動する。
【００４０】
上述した動作により第１群撮影レンズ１２や第２群撮影レンズ１３を所望のズームポジションまで移動させることができ、撮影光学系の焦点距離を変更することができる。
【００４１】
次に光学ファインダ装置の構成及び駆動について図５を用いて説明する。同図（ａ）は、光学ファインダ装置およびファインダ駆動部材を示す外観斜視図であり、（ｂ）は（ａ）のうち光学ファインダ装置の外装を取り除いた図である。
【００４２】
図５において、１５はファインダレンズ群を保持するファインダ保持部材、１６はファインダ保持部材１５の上面を覆うファインダカバーである。１８はファインダ第１レンズ群、１９はファインダ第２レンズ群である。ファインダ第１レンズ郡１８は、ファインダ保持部材１５に固定されている。
【００４３】
２５はファインダ第２レンズ群１９を保持する第１レンズ保持部材であり、ファインダ駆動部材１７に形成されたカム溝部１７ａと係合するカムピン１９ａを備えている。また、第１レンズ保持部材２５は、光軸方向に延びる直進規制軸２４と係合しており、直進規制軸２４に沿って移動可能となっている。
【００４４】
２０はファインダ第３レンズ群であり、２６はファインダ第３レンズ群２０を保持する第２レンズ保持部材である。第２レンズ保持部材２６は、ファインダ駆動部材１７に形成されたカム溝部１７ｂと係合するカムピン２０ａを備えている。また、第２レンズ保持部材２６は、直進規制軸２４と嵌合して光軸方向に移動可能となっている。
【００４５】
２１、２２はプリズムであり、ファインダレンズ群１８〜２０を通過した被写体光束を接眼レンズ２３に導く。これにより、撮影者は接眼レンズ２３を覗くことにより被写体像を観察することができる。
【００４６】
レンズ鏡筒６（回転筒８）とファインダ駆動部材１７との関係を図６を用いて説明する。
【００４７】
ファインダ駆動部材１７は固定筒１０に回転可能に支持されており、レンズ鏡筒６が駆動すると以下に説明するように光軸周りに回転する。
【００４８】
ファインダ駆動部材１７は、不図示の片寄せばねにより図６中の矢印Ａ方向に付勢されており、この端部が固定筒１０に当接することで所定の位置（図５に示す位置）に保持される。
【００４９】
図６に示す状態において、レンズ鏡筒６のズーム動作（繰り出し）により回転筒８が図中の矢印Ｂ方向に回転すると、回転筒８の外周面に形成されたファインダ駆動部８ａがファインダ駆動部材１７の内周面に形成された当接部１７ｄに当接する。
【００５０】
ここで、ファインダ駆動部８ａが当接部１７ｄに当接するまでの間は、回転筒８だけが光軸周りに回転することになるが、これによりレンズ鏡筒６が沈胴状態から撮影状態（ワイド状態）まで繰り出すことになる。
【００５１】
ファインダ駆動部８ａが当接部１７ｄに当接してから更に回転筒８が矢印Ｂ方向に回転すると、回転筒８は片寄せばねの付勢力に抗してファインダ駆動部材１７を矢印Ｂ方向に回転させる。ここで、回転筒８は上述したように光軸周りに回転しながら光軸方向に移動するため、ファインダ駆動部８ａは当接部１７ｄの端面に対して摺動しながら矢印Ｂ方向に押し込むように動作する。
【００５２】
一方、レンズ鏡筒６のズーム動作（繰り込み）により回転筒８が矢印Ａ方向に回転するときには、片寄せばねの付勢力によって回転筒８の回転動作に追従するようにファインダ駆動部材１７が矢印Ａ方向に回転する。ここで、ファインダ駆動部材１７は、回転筒８の外周面に略沿うように移動する。
【００５３】
ファインダ駆動部材１７が光軸周りに回転すると、図５に示すようにカムピン１９ａ、２０ａがカム溝部１７ａ、１７ｂに沿ってガイドされることにより、第１レンズ保持部材２５（第２レンズ群１９）や第２レンズ保持部材２６が直進規制軸２４に沿って光軸方向に移動する。
【００５４】
このとき、第１レンズ保持部材２５および第２レンズ保持部材２６は、ファインダ光学系の焦点距離が撮影光学系の焦点距離と略等しくなるように移動する。
【００５５】
上述したようにレンズ鏡筒６と光学ファインダ装置とを連動させることで、撮影光学系のズーミングに応じてファインダ光学系のズーミングを行うことができる。これにより、撮影者は接眼レンズ２３を覗くことで撮影画面に相当する画面を観察することができる。
【００５６】
次に、本実施形態のカメラの特徴について説明する。
【００５７】
本実施形態のカメラでは、カメラ本体３１の上下方向の小型化を図るために、鏡筒駆動モータ１および減速ギア列２〜５からなる鏡筒駆動機構をレンズ鏡筒６の側面に配置している（図２、図４）。また、本実施形態では、上述した鏡筒駆動機構の配置構成において、カメラ本体３１の左右方向の小型化を図ることができるように構成されている。
【００５８】
本実施形態では、鏡筒駆動モータ１からの回転出力をギア減速してレンズ鏡筒６（回転筒８）に伝えるために複数のギア２〜５を用いており、これらのギアは図４に示すように鏡筒駆動モータ１に対してカメラ前面側に配置されている。
【００５９】
また、鏡筒駆動モータ１と複数のギア２〜５は、図４（ａ）に示すように光軸方向で略重なるように配置されており、両者が必要かつ十分な領域内にコンパクトに配置されている。
【００６０】
鏡筒駆動モータ１は、この回転軸１ａがカメラ本体３１の上下方向に延びるように配置されており、回転軸１ａと鏡筒駆動ギア４とを連結するためにウォームギア２およびウォームホイール３を用いている。これにより、カメラ本体３１の上下方向を回転軸とする回転を、光軸方向を回転軸とする回転に変換することができ、本実施形態のように鏡筒駆動ギア４ａ〜４ｃを鏡筒駆動モータ１の側面に沿って略平行に配置することができる。
【００６１】
また、鏡筒駆動モータ１の回転軸１ａは、図４（ａ）に示すように回転筒８の外周面に形成されたギア部８ｂに対してカメラ本体３１の上方向で離れた位置に配置されている。これにより、回転軸１ａとギア部８ｂとの間に減速ギア列２〜５を配置するためのスペースを確保することができ、鏡筒駆動モータ１の回転力を減速して回転筒８に伝達することができる。
【００６２】
一方、図５に示すようにファインダ駆動部材１７には、カム溝部１７ａ、１７ｂが形成されているが、このカム溝部１７ａ、１７ｂが形成されている領域以外の領域、例えば図５の斜線Ｄに示す領域は不必要な領域となる。従来のファインダ駆動部材では領域Ｄを有していた。
【００６３】
そこで、本実施形態では、領域Ｄを削除することによりファインダ駆動部材１７に切り欠き部１７ｃを形成している。そして、ファインダ駆動部材１７が回転筒８の外周に沿って移動したときに、領域Ｄの移動軌跡に相当する領域内にウォームホイール３の一部が位置するようにウォームホイール３を配置している（図７）。このとき、ウォームホイール３およびファインダ駆動部材１７は、図７の斜線領域に示すように光軸方向で互いに重なる領域を有する。
【００６４】
本実施形態では、ファインダ駆動部材１７に切り欠き部１７ｃを形成しているため、ファインダ駆動部材１７が回転しても、ファインダ駆動部材１７がウォームホイール３に衝突することはなく、ファインダ駆動部材１７およびウォームホイール３の回転を妨げることはない。
【００６５】
従来のように領域Ｄを有するファインダ駆動部材を用いた場合には、このファインダ駆動部材とウォームホイール３との衝突を避けるために、ウォームホイール３を図４（ａ）の３ａの位置に配置する必要がある。
【００６６】
このように配置すると、図４（ａ）に示すようにレンズ鏡筒６の正面から見たときに、ウォームホイール３ａだけが鏡筒駆動機構の配置領域から右側にはみ出すことになる。この場合には、ウォームホイール３ａがはみ出した分だけ、鏡筒駆動機構の近傍に配置される部材（例えば、スプール室）を鏡筒駆動機構に近づけて配置できず、カメラ本体が横方向（図４の矢印Ｃ方向）で大型化してしまう。
【００６７】
そこで、本実施形態のようにウォームホイール３をレンズ鏡筒６（回転筒８）に寄せて配置することで、上述したようにウォームホイール３ａだけがはみ出すことはなく、鏡筒駆動機構の近傍に配置される部材を鏡筒駆動機構に近づけて配置することができるため、カメラを左右方向で小型化することができる。
【００６８】
本実施形態のカメラによれば、鏡筒駆動モータ１と、減速ギア列２〜５からなる鏡筒駆動機構とをレンズ鏡筒６の側面に配置することで、鏡筒駆動機構をレンズ鏡筒６の下側に配置する場合に比べてカメラを上下方向で小型化することができる。
【００６９】
また、鏡筒駆動モータ１および減速ギア列２〜５を光軸方向で略重なるように配置することで、鏡筒駆動機構をコンパクトにまとめることができる。
【００７０】
さらに、ファインダ駆動部材１７に切り欠き部１７ｃを形成して、切り欠き部１７ｃにより形成された空きスペースにウォームホイール３の一部が位置するようにウォームホイール３を配置することで、カメラを左右方向で小型化することができる。
【００７１】
すなわち、ウォームホイール３およびファインダ駆動部材１７の干渉を防止して、ウォームホイール３（鏡筒駆動機構）をレンズ鏡筒６（回転筒８）に近づけて配置することができるため、カメラ本体３１を左右方向で小型化することができる。
【００７２】
上述したように本実施形態では、カメラを上下方向（カメラ高さ方向）で小型化することができるとともに、左右方向（カメラ横方向）においても更なる小型化を図ることができる。
【００７３】
以上説明した実施形態は、以下に示す各発明を実施した場合の一例でもあり、下記の各発明は上記実施形態に様々な変更や改良が加えられて実施されるものである。
【００７４】
〔発明１〕  光軸方向への繰り出し繰り込み動作により撮影光学系の焦点距離を変更可能なレンズ鏡筒と、
このレンズ鏡筒に対してカメラ本体横方向に配置され、前記レンズ鏡筒を駆動するための鏡筒駆動機構と、
前記レンズ鏡筒に対してカメラ本体上方に配置されたファインダユニットと、
前記レンズ鏡筒の繰り出し繰り込み動作に応じて前記レンズ鏡筒の周方向に沿って移動し、前記ファインダユニットをカム駆動するファインダ駆動部材とを有し、
前記ファインダ駆動部材の一端に切り欠き部が形成されており、
前記鏡筒駆動機構の一部が、前記ファインダ駆動部材が所定の位置にあるときに、前記切り欠き部内に位置するように配置されていることを特徴とするカメラ。
【００７５】
上記発明１によれば、鏡筒駆動機構をレンズ鏡筒に対してカメラ本体横方向に配置することで、鏡筒駆動機構をレンズ鏡筒に対してカメラ本体上下方向に配置する場合に比べて、カメラを上下方向で小型化することができる。しかも、上記構成において、ファインダ駆動部材に切り欠き部を形成して、切り欠き部内に鏡筒駆動機構の一部が位置するように配置することで、鏡筒駆動機構をレンズ鏡筒に近づけて配置することができ、カメラを横方向で小型化することができる。
【００７６】
〔発明２〕  前記鏡筒駆動機構が、駆動源と、この駆動源からの駆動力を前記レンズ鏡筒に伝達するギア列とを有しており、
前記ギア列の一部が前記切り欠き部内に位置するように配置されていることを特徴とする前記発明１に記載のカメラ。
【００７７】
〔発明３〕  前記駆動源および前記ギア列が、光軸方向で略重なるように配置されていることを特徴とする前記発明２に記載のカメラ。
【００７８】
〔発明４〕  前記ギア列が、ウォームホイールを有することを特徴とする前記発明２又は３に記載のカメラ。
【００７９】
〔発明５〕  前記ファインダ駆動部材が前記所定の位置にあるとき、前記鏡筒駆動機構の一部および前記切り欠き部が光軸方向で重なることを特徴とする前記発明１に記載のカメラ。
【００８０】
【発明の効果】
本発明によれば、カメラの小型化（上下方向および左右方向の小型化）を図ることができる。
【図面の簡単な説明】
【図１】本実施形態であるカメラの外観斜視図。
【図２】レンズ鏡筒の駆動機構を示す外観斜視図。
【図３】レンズ鏡筒の光軸方向断面図。
【図４】レンズ鏡筒の駆動機構を示す外観図。
【図５】光学ファインダ装置の外観斜視図。
【図６】光学ファインダ装置の連動機構の説明図。
【図７】ファインダ駆動部材とウォームホイールの配置図。
【符号の説明】
１：鏡筒駆動モータ              ２：ウォームギア
３：ウォームホイール            ４ａ〜４ｃ：鏡筒駆動ギア
５：鏡筒駆動ギア（最終ギア）    ６：レンズ鏡筒
７：第１直進筒                  ８：回転筒
９：第２直進筒                  １０：固定筒
１１：シャッタユニット          １２：第１群撮影レンズ
１３：第２群撮影レンズ          １４：第３群撮影レンズ
１５：ファインダ保持部材        １６：ファインダカバー
１７：ファインダ駆動部材        １８：ファインダ第１レンズ群
１９：ファインダ第２レンズ群    ２０：ファインダ第３レンズ群
２１：プリズム                  ２２：プリズム
２３：接眼レンズ                ２４：直進規制軸
【図１】
2004258121.tif 000003
【図２】
2004258121.tif 000004
【図３】
2004258121.tif 000005
【図４】
2004258121.tif 000006
【図５】
2004258121.tif 000007
【図６】
2004258121.tif 000008
【図７】
2004258121.tif 000009